(57)【特許請求の範囲】
【請求項１】
容器本体に形成された開口部を開閉する栓体であって、
前記容器本体の外面側に装着され、前記開口部と連通する外連通孔を有する外ベース部材と、
前記外ベース部材の外面側に回動軸を介して回動自在に取り付けられた外カバー部材とを備え、
前記外ベース部材および外カバー部材の各対向面には、Ｎ極およびＳ極が交互に並ぶ縞状の多極着磁パターンが形成されており、
前記外カバー部材の回動により前記多極着磁パターン同士が平面視で平行になった状態で、前記外カバー部材が前記外ベース部材に吸着されて前記外連通孔を覆うように構成されている栓体。
【請求項２】
前記外ベース部材および外カバー部材は、略同じ大きさを有する平面視長方形状の平板状部材からなり、
前記回動軸と前記連通孔とが、前記外ベース部材の長手方向に隣接して配置されている請求項１に記載の栓体。
【請求項３】
前記容器本体の内面側に装着され、前記開口部と連通する内連通孔を有する内ベース部材と、
前記内ベース部材の内面側に磁力により吸着されて前記内連通孔を覆う内カバー部材とを更に備え、
前記内カバー部材は、前記内連通孔を介して外部から押圧されることにより、前記内ベース部材の内面から離隔して前記内連通孔を開放するように支持されている請求項１または２に記載の栓体。
【請求項４】
請求項１から３のいずれかに記載の栓体を容器本体に装着してなる密閉容器。
【発明の詳細な説明】
【技術分野】
【０００１】
本発明は、容器本体の内部に気体や液体等の流体を注入または吸引して密閉状態を維持することができる栓体、およびこれを備えた密閉容器に関する。
【背景技術】
【０００２】
容器本体内の空気を吸引し、或いは容器本体に空気を導入した後、容器本体の密閉状態を維持することができる栓体が従来から知られており、例えば防水ケースやエアギブス等に用いられている。
【０００３】
この種の栓体として、例えば特許文献１に開示された構成が知られている。図４に示すように、栓体５０は、容器本体５１の内面に固着された第１板部材５２と、第１板部材５２の容器固着面の反対側に設けられた第２板部材５３と、容器本体５１の外面に固着された第３板部材５４とを備えており、第１板部材５２および第３板部材５４には、容器本体５１の貫通孔５１ａに合致するように貫通孔がそれぞれ形成されている。第１板部材５２および第２板部材５３はゴム磁石により形成されており、縁部において連結部材５５により連結されている。
【０００４】
この栓体５０は、第２板部材５３が貫通孔５１ａを閉じた状態（一点鎖線で示す状態）から、筒状の注入器具６０を貫通孔５１ａに挿入することにより、注入器具６０の先端が第２板部材５３を押圧して、図示のように第２板部材５３を第１板部材５２から離隔させて貫通孔５１ａを開放する。こうして、注入器具６０により容器本体５１に対する流体の注入や吸引を行うことができる。
【先行技術文献】
【特許文献】
【０００５】
【特許文献１】特開２００７−１９８５６７号公報
【発明の概要】
【発明が解決しようとする課題】
【０００６】
上記従来の栓体５０は、流体の注入や吸引の完了後に注入器具６０を引き抜くと、第２板部材５３が第１板部材５２に磁力によって吸引されるように構成されているため、第２板部材５３の変形や離隔の程度によってはすぐに密閉しないおそれもあることから、密閉性を高める点において更に改良の余地があった。
【０００７】
そこで、本発明は、容器本体の密閉を容易且つ確実に行うことができる栓体を提供することを目的とする。
【課題を解決するための手段】
【０００８】
本発明の前記目的は、容器本体に形成された開口部を開閉する栓体であって、前記容器本体の外面側に装着され前記開口部と連通する外連通孔を有する外ベース部材と、前記外ベース部材の外面側に回動軸を介して回動自在に取り付けられた外カバー部材とを備え、前記外ベース部材および外カバー部材の各対向面には、Ｎ極およびＳ極が交互に並ぶ縞状の多極着磁パターンが形成されており、前記外カバー部材の回動により前記多極着磁パターン同士が平面視で平行になった状態で、前記外カバー部材が前記外ベース部材に吸着されて前記外連通孔を覆うように構成されている栓体により達成される。
【０００９】
この栓体において、前記外ベース部材および外カバー部材は、略同じ大きさを有する平面視長方形状の平板状部材からなることが好ましく、前記回動軸と前記連通孔とが、前記外ベース部材の長手方向に隣接して配置されていることが好ましい。
【００１０】
また、前記容器本体の内面側に装着され前記開口部と連通する内連通孔を有する内ベース部材と、前記内ベース部材の内面側に磁力により吸着されて前記内連通孔を覆う内カバー部材とを更に備え、前記内カバー部材は、前記内連通孔を介して外部から押圧されることにより、前記内ベース部材の内面から離隔して前記内連通孔を開放するように支持されていることが好ましい。
【発明の効果】
【００１１】
本発明によれば、容器本体の密閉を容易且つ確実に行うことができる栓体を提供することができる。
【図面の簡単な説明】
【００１２】
【図１】本発明の一実施形態に係る栓体を備える密閉容器の平面図である。
【図２】図１に示す栓体の断面図である。
【図３】図１に示す栓体の拡大平面図である。
【図４】従来の栓体の断面図である。
【発明を実施するための形態】
【００１３】
以下、本発明の実施の形態について、添付図面を参照して説明する。図１は、本発明の一実施形態に係る栓体を備える密閉容器の平面図である。図１に示す密閉容器１は、容器本体１０に栓体２０が装着されて構成されている。
【００１４】
容器本体１０は、袋状に形成された合成樹脂製の防水ケースであり、物品を収納する下部収納口を嵌合チャック(図示せず)により閉じた後、この部分を１，２度折り返してクリップ１２により挟持することで、下部収納口を密閉することができる。また、容器本体１０には、内部の空気を吸引するための開口部が形成されており、この開口部に栓体２０が装着されている。容器本体１０は、必ずしも本実施形態のものに限定されず、目的に応じて適宜の構成とすることが可能であり、気体や液体等の流体を吸引または注入するための開口部を有するものであれば、この開口部に本発明の栓体を適用することができる。
【００１５】
栓体２０は、図２に断面図で示すように、開口部１０ａを有する容器本体１０の外面１０ｂに全面接着等により固定された外ベース部材２１と、外ベース部材２１の外面側に設けられた外カバー部材２２とを備えている。外ベース部材２１および外カバー部材２２は、略同じ大きさを有する平面視長方形状の平板状部材であり、外ベース部材２１の外面に沿って（図２の紙面を貫通する方向に）外カバー部材２２が回動自在となるように、リベットやピン等の回動軸２３により回動自在に結合されている。外ベース部材２１には、容器本体１０の開口部１０ａと連通する外連通孔２１ａが形成されている。外連通孔２１ａは、外カバー部材２２により覆われており、外カバー部材２２の回動により露出させることができる。外連通孔２１ａと回動軸２３とは、外ベース部材２１の長手方向に沿って隣接して配置されている（図３（ａ）参照）。
【００１６】
外ベース部材２１および外カバー部材２２は、例えばゴム磁石などからなり、高い気密性が得られるように異方性磁石であることが好ましい。外ベース部材２１および外カバー部材２２の各対向面には、図３に示すように多極着磁パターンが形成されている。外ベース部材２１の着磁パターンは、外ベース部材２１の長手方向に延びる帯状のＮ極領域２１ｎおよびＳ極領域２１ｓが、外ベース部材２１の短手方向に沿って交互に並ぶように平行縞状に配置されて形成されている。Ｎ極領域２１ｎおよびＳ極領域２１ｓの幅は特に限定されないが、例えば数ｍｍ程度である。
【００１７】
外カバー部材２２の多極着磁パターンも、外ベース部材２１の多極着磁パターンと同様であり、外カバー部材２２の長手方向に延びる帯状のＮ極領域２２ｎおよびＳ極領域２２ｓが、外カバー部材２２の短手方向に沿って交互に並ぶように平行縞状に配置されて形成されている。外カバー部材２２の多極着磁パターンは、外カバー部材２２が回動して外ベース部材２１と平面視で重なり合ったときに、Ｎ極領域２２ｎが外ベース部材２１のＳ極領域２１ｓと合致し、Ｓ極領域２２ｓが外ベース部材２１のＮ極領域２１ｎと合致するように形成されている。
【００１８】
図３（ａ）に示すように、外カバー部材２２が回動して外ベース部材２１の外連通孔２１ａが露出した状態では、外ベース部材２１および外カバー部材２２の各多極着磁パターンは平面視で平行でなく互いに交差（図３（ａ）では、多極着磁パターン同士が垂直に交差）するため、外ベース部材２１と外カバー部材２２との間には、同極領域間（Ｎ極領域２１ｎ，２２ｎ間またはＳ極領域２１ｓ，２２ｓ間）の反発力と、異極領域間（Ｎ極領域２１ｎとＳ極領域２２ｓ間またはＳ極領域２１ｓとＮ極領域２２ｎ間）の吸引力とが、略等しい大きさで作用する。したがって、この状態では外カバー部材２２に外ベース部材２１からの吸着力は作用しないので、外カバー部材２２が外ベース部材２１を不意に閉じるおそれがない。
【００１９】
そして、注入器具を引き抜いた後、外カバー部材２２を矢示方向に回動させると、外ベース部材２１および外カバー部材２２の多極着磁パターン同士が平面視で平行に近づく。そして、図３（ｂ）に示すように、異極領域間の重なりが同極領域間の重なりよりも十分大きくなると、外カバー部材２２には、外ベース部材２１からの磁力によって多極着磁パターン同士が平行になるような回動力が作用し、外カバー部材２２が外ベース部材２１に全面吸着される。
【００２０】
このように、本実施形態の栓体２０は、外連通孔２１ａを開放した状態では、外ベース部材２１と外カバー部材２２との間に吸着力が作用せず、外カバー部材２２が吸引作業や注入作業を妨げるおそれがない。そして、外カバー部材２２を連通孔２１ａの閉鎖位置近傍まで回動させることにより、外ベース部材２１から外カバー部材２２に作用する吸着力が急激に高まるので、連通孔２１ａを容易且つ確実に閉鎖することができる。
【００２１】
また、本実施形態においては、外ベース部材２１および外カバー部材２２が、略同じ大きさを有する平面視長方形状の平板状部材からなり、外連通孔２１ａが、回動軸２３と外ベース部材２１の長手方向に沿って隣接して配置されているので、外連通孔２１ａの開放時における外ベース部材２１の非吸着状態と、外連通孔２１ａの閉鎖時における外ベース部材２１の吸着状態を容易に得ることができる。但し、外ベース部材２１および外カバー部材２２の形状や大きさは本実施形態のものに限定されず、装着される容器本体１０の形状や大きさ等に応じて適宜変更可能である。
【００２２】
また、本実施形態の栓体２０は、図２に示すように、容器本体１０の内面側に、内ベース部材２４及び内カバー部材２５が設けられている。内ベース部材２４及び内カバー部材２５は、外ベース部材２１および外カバー部材２２と同様の形状及び大きさを有する平板状部材であり、内ベース部材２４には、容器本体１０の開口部１０ａと連通する内連通孔２４ａが形成されている。
【００２３】
内ベース部材２４及び内カバー部材２５は、例えばゴム磁石等から形成可能であるが、必ずしも多極着磁でなくてもよく、内ベース部材２４と内カバー部材２５とを吸着できる程度の磁力を有するものであればよい。内ベース部材２４と内カバー部材２５とは、縁部において結合部材２６により結合されている。内カバー部材２５は、従来の栓体と同様に、内連通孔２４ａを介して注入器具の先端で押圧することにより、内カバー部材２５または結合部材２６に可撓変形が生じ、二点鎖線で示すように内ベース部材２４の内面から離隔させることができる。
【００２４】
上記の構成を有する本実施形態の栓体２０によれば、注入器具を引き抜いた後に、内ベース部材２４と内カバー部材２５との間でも密閉することができるため、容器本体１０の密閉性をより高めることができる。但し、本実施形態の栓体２０は、外ベース部材２１および外カバー部材２２によって高い密閉性が得られるため、内ベース部材２４と内カバー部材２５との間に作用する磁力は、内カバー部材２５が流体の注入圧力程度で開くような弱いものであってもよく、更には、内ベース部材２４及び内カバー部材２５を設けずに外ベース部材２１および外カバー部材２２のみで栓体を構成することも可能である。
【符号の説明】
【００２５】
１  密閉容器
１０  容器本体
１０ａ  開口部
２０  栓体
２１  外ベース部材
２１ａ  外連通孔
２２  外カバー部材
２３  回動軸
２４  内ベース部材
２４ａ  内連通孔
２５  内カバー部材
２６  結合部材
【図１】
0005455750.tif 000002
【図２】
0005455750.tif 000003
【図３】
0005455750.tif 000004
【図４】
0005455750.tif 000005